(57)【要約】【課題】　複数のパネルを連設することによって電磁シールドルームの壁、天井を構成した際に、連設されたパネル間に間隙が形成され、これによって電磁波の漏洩が生ずることを防止することを目的としている。【解決手段】　巾方向の両端に形成された接合面１４に複数の胴縁取付クリップ用の穴１７を設けたパネルＢを形成し、かつ該パネルＢの接合面１４に両面粘着テープ１９を介して金属メッシュ１８を張り付け、さらにこのように構成されたパネルＢを連設することによって壁面或は天井面を構成した電磁シールドルームである。【選択図】　　　図８
2004044380.tif 000002
【特許請求の範囲】
【請求項１】
　幅方向の両端に形成された接合面に複数の胴縁取付クリップ用の穴を形成すると共に、長さ方向全長にわたって金属メッシュを張り付けたパネルを連設して壁面及び／又は天井面を構成したことを特徴とした電磁シールドルーム。
【請求項２】
　パネルに嵌合する嵌合部と前記嵌合部を構成する一方の片の延長上に形成されたコ字状の突起とを有するジョイント補助部材を有し、前記ジョイント補助部材を突起を室内側に配置して壁面を構成するパネルの上端及び天井を構成するパネルの周縁に取り付け、前記突起にボードを取り付けて内面を構成したことを特徴とした電磁シールドルーム。
【請求項３】
　一方の端部に外側に向けて載置片を突設すると共に他方の端部に内側に向けて係止片を突設した梁部材を有し、前記載置片に天井を構成するパネルの端部を載置すると共に前記係止片に絶縁材を介してボルトを係止し、該ボルトを建物の躯体に締結したことを特徴とした電磁シールドルーム。 
【発明の詳細な説明】
【技術分野】
【０００１】
　本発明は、電磁波の漏洩を防止することが出来る電磁シールドルームに関するものである。
【背景技術】
【０００２】
　電磁波をシールドする電磁シールドルームとして、例えば医療用検査装置であるＭＲＩ（超伝導磁気診断装置）を収容するものがある。この電磁シールドルームは、床に複数の銅箔を互いに接合しつつ全面にわたって敷設し、且つ壁や天井は導電性を有する材料からなる複数のパネルを連設して構成されており、電磁シールドルームの外部で発生した電磁波のルーム内への侵入を阻止し、且つルーム内で発生した電磁波のルーム外への漏洩を阻止することが可能である。
【０００３】
　上記電磁シールドルームでは、床に銅箔を敷設するに当たり、コンクリート面にタールエポキシを塗布して複数の銅箔を配置し、タールエポキシが乾燥した後、銅箔どうしを半田付けし、更にタールエポキシを塗布してシンダーコンクリートを打設したり、樹脂フィルムを敷いて合板を張りつめた後、該合板上に銅箔を配置して半田付けし、更に、銅箔の上に合板を張りつめるようにするのが一般である。また床に敷設した銅箔と壁面を接合する場合、銅箔の周縁をパネルに到達するまで延長し、銅箔どうしの接合と同様に、銅箔とパネルを半田付けするのが一般である。
【０００４】
　上記電磁シールドルームの壁や天井は、所定の寸法を持って形成された複数の金属パネルを連設してボルト等の締結部材によって互いに固着することで構成されるのが一般である。特に、天井は吊りボルトを介して建物の躯体と接続され、これにより、天井の重量を躯体によって支持し得るように構成されている。
【発明の開示】
【発明が解決しようとする課題】
【０００５】
　上記電磁シールドルームに於いて、銅箔どうし或いは銅箔とパネルを接合する際に半田付けによって行っている。然し、この方法では、半田付け作業に多くの時間を要し、且つ耐震性能について特別な考慮がなされていないため、地震発生時に半田付部分に大きな変動荷重が作用したとき、該半田付部分が破損する虞があるという問題がある。
【０００６】
　またパネルを連設して壁や天井を構成した場合、パネルの製造時に設定される許容寸法公差等の影響によってパネルの接合面に微小な間隙が生じる虞があり、この場合に電磁波が漏洩して収容された機器に悪影響を与える虞があるという問題がある。
【０００７】
　電磁シールドルームは壁，天井を予め製造されたパネルを連設して構成するものであるが、パネルによって構成された住宅建築とは異なり、微小な間隙を形成することのないように細心の注意を持って組み立てられる。このため、組み立て易さが軽視される傾向にあり、より組立性を向上させた電磁シールドルームの開発が要求されている。
【０００８】
　更に、上記電磁シールドルームは、病院やオフィスビル等のコンクリート床上に設置されるのが一般であり、防水性について特別な考慮がなされていない。このため、設置場所が限定されるという問題がある。
【０００９】
　本発明の目的は、作業性や組立性を向上させて工期の短縮化をはかることが出来る電磁シールドルームを提供することにある。
【課題を解決するための手段】
【００１０】
　上記課題を解決するために本発明に係る電磁シールドルームは、幅方向の両端に形成された接合面に複数の胴縁取付クリップ用の穴を形成すると共に、長さ方向全長にわたって金属メッシュを張り付けたパネルを連設して壁面及び／又は天井面を構成したものである。
【００１１】
　また、パネルに嵌合する嵌合部と前記嵌合部を構成する一方の片の延長上に形成されたコ字状の突起とを有するジョイント補助部材を有し、前記ジョイント補助部材を突起を室内側に配置して壁面を構成するパネルの上端及び天井を構成するパネルの周縁に取り付け、前記突起にボードを取り付けて内面を構成したものである。
【００１２】
　また、一方の端部に外側に向けて載置片を突設すると共に他方の端部に内側に向けて係止片を突設した梁部材を有し、前記載置片に天井を構成するパネルの端部を載置すると共に前記係止片に絶縁材を介してボルトを係止し、該ボルトを建物の躯体に締結したものである。
【発明の効果】
【００１３】
　本発明に於ては、前述のように幅方向の両端に形成された接合面に複数の胴縁取付クリップ用の穴を形成すると共に、長さ方向全長にわたって金属メッシュを張り付けたパネルを連設することで、壁面及び／又は天井面に於けるパネルどうしの接合部に間隙が形成されても、該間隙を金属メッシュによって充填し、電磁波の漏洩を防止することが出来る。
【００１４】
　また、パネルに嵌合する嵌合部と前記嵌合部を構成する一方の片の延長上に形成されたコ字状の突起とを有するジョイント補助部材を、突起を室内側に配置して壁面を構成するパネルの上端及び天井を構成するパネルの周縁に取り付けることによって、前記突起をルーム内にボードを取り付ける際の下地として用いることが出来る。このため、特別な部材を設けることなく、内装仕上げを行うことが出来る。
【００１５】
　また、一方の端部に外側に向けて載置片を突設すると共に他方の端部に内側に向けて係止片を突設した梁部材を有し、前記載置片に天井を構成するパネルの端部を載置すると共に前記係止片に絶縁材を介してボルトを係止し、該ボルトを建物の躯体に締結することによって、躯体と電磁シールドルームの絶縁をはかって天井を支持することが出来る。
【００１６】
　以上詳細に説明したように本発明に係る電磁シールドルームでは、幅方向の両端に形成された接合面に複数の胴縁取付クリップ用の穴を形成すると共に、長さ方向全長にわたって金属メッシュを張り付けたパネルを連設することで、連設させたパネルの接合部に生じる間隙を金属メッシュによって充填し、電磁波の漏洩を防止することが出来る効果を有している。
【００１７】
　また、パネルに嵌合する嵌合部と前記嵌合部を構成する一方の片の延長上に形成されたコ字状の突起とを有するジョイント補助部材を、突起を室内側に配置して壁面を構成するパネルの上端及び天井を構成するパネルの周縁に取り付けることで、ジョイント補助部材によってパネルを拘束すると共に突起をルーム内にボードを取り付ける際の下地として用いることが出来る。このため、特別な部材を設けることなく、内装仕上げを行うことが出来る効果がある。
【００１８】
　また、一方の端部に外側に向けて載置片を突設すると共に他方の端部に内側に向けて係止片を突設した梁部材を有し、前記載置片に天井を構成するパネルの端部を載置すると共に前記係止片に絶縁材を介してボルトを係止し、該ボルトを建物の躯体に締結することによって、躯体と電磁シールドルームの絶縁をはかって天井を支持することが出来る効果を有している。
【発明を実施するための最良の形態】
【００１９】
　以下、上記電磁シールドルームの一実施例について図を用いて説明する。図１は電磁シールドルームの構成を説明する模式断面図、図２は接合部材の構成を説明する斜視図、図３は銅箔を接合する手順を説明する図、図４は床の構成を説明する模式断面図、図５は床の他の例を説明する模式断面図、図６は土台部分の構成及び床に敷設された銅箔と壁パネルの接合構造を説明する図、図７はパネルの構成を説明する斜視図、図８は接合面に金属メッシュを取り付けたパネルの要部を説明する斜視図、図９はジョイント補助部材の構成を説明する斜視図、図１０は電磁シールドルームの壁及び天井の構成を示す要部断面図である。
【００２０】
　先ず、図１により電磁シールドルームの概略構成について説明する。電磁シールドルームには、防水性と耐震性を有し且つ接合部材１によって接合した銅箔２を全面に敷設した床Ａが構成され、略同様な形状を有するパネルＢを間隙を有することなく連設して壁及び天井が構成されている。また電磁シールドルームの壁及び天井には、図示しない出入口や監視窓及び換気口等の開口部が形成されており、夫々の開口部には開口部の構造に対応したシールドがなされている。
【００２１】
　従って、電磁シールドルームは電磁波の侵入を防止することが可能であり、内部に設置された例えばＭＲＩをノイズに影響されることなく良好な状態で作動させることが可能である。
【００２２】
　次に、接合部材１の構成と、該部材１によって銅箔２を接合する構造について図２、図３により説明する。接合部材１は上部に配置された２枚の銅箔２を圧着してこれ等の銅箔２を互いに接合するものであり、銅箔２を刺通し得るように先端を尖らせた多数の突起１ａが本体１ｂに対し屈折可能に形成されている。
【００２３】
　従って、突起１ａによって重ね合わせた２枚の銅箔２を刺通し、その後、突起１ａを屈折させることで該突起１ａと本体１ｂによって銅箔２を圧着することが可能である。接合部材１は、突起１ａと本体１ｂによる銅箔２の圧着状態を維持し得るように、薄い銅板，トタン板，ブリキ板，アルミニウム板等の金属板を用いると共に、該金属板をプレス加工して本体１ｂから直立させた突起１ａを形成することが好ましい。
【００２４】
　銅箔２は予め設定された寸法を持ったシート状に形成されている。従って、床Ａの面積が大きく、１枚の銅箔２によって全面をシールドし得ない場合、複数枚の銅箔２を接合しつつ床Ａに敷設することとなる。このため、本実施例では、上記の如く構成された接合部材１によって隣接する銅箔２の端部２ａを圧着させることで、銅箔２を接合して床Ａのシールドを行っている。
【００２５】
　即ち、銅箔２の長さ及び幅寸法に対応して設定された接合位置に接合部材１を突起１ａを上に向けて配置し、この接合部材１の上部に隣接する２枚の銅箔２の端部２ａを夫々重ね合わせる。そして図３（ａ）に示すように、銅箔２を押圧して全ての突起１ａによって端部２ａを刺通させる。その後、同図（ｂ）に示すように、突起１ａを本体１ｂ側に屈折させて、突起１ａ，本体１ｂによって２枚の銅箔２を圧着接合することで、隣接する銅箔２を接合することが可能である。
【００２６】
　銅箔２を突起１ａによって刺通する場合、銅箔２の厚さが極めて薄いため、接合部材１上の銅箔２を比較的小さい力で押圧することで容易に刺通することが可能である。また突起１ａも同様に小さい力で屈折させることが可能である。従って、大きな労力を要することなく容易に作業を進行することが可能となる。
【００２７】
　次に、床Ａの構造の一例について図４により説明する。本実施例に係る床Ａは防水性と耐震性を付与したものであり、電磁シールドルームを新設する場合及び既設の床面に設置する場合に採用することが可能である。
【００２８】
　電磁シールドルームの基礎３の全面に粘着性アスファルトルーフィング４が敷きこまれ、該粘着性アスファルトルーフィング４の表面にアスファルトピッチが塗布されて防水下地が形成されている。前記防水下地のアスファルトピッチ塗布面に全面にわたって銅箔２が接着され、且つ隣接する銅箔２どうしが接合されている。更に、防水下地上に敷設された銅箔２には粘着性アスファルトルーフィング４が張り付けられ、これにより、銅箔２の防錆，防湿をはかった床Ａが構成されている。
【００２９】
　上記の如く構成された床Ａでは粘着性アスファルトルーフィング４、アスファルトピッチからなる防水下地によって防水性と耐震性が付与され、基礎３との間での防水性をはかると共に地震振動を吸収することが可能である。従って、地震時の振動による銅箔２の破損を防止することが可能となる。
【００３０】
　次に、床Ａの他例について図５により説明する。本実施例に係る床Ａは、前述の実施例と同様に防水性と耐震性を付与したものである。図に於いて、基礎３には全面にわたって粘着性アスファルトルーフィング４が敷きこまれ、該粘着性アスファルトルーフィング４にアスファルトピッチを塗布して防水下地が形成されている。
【００３１】
　防水下地には合板や無機質ボード等のボード５が接着されており、このボード５によって基礎３或いは在来の床面の凹凸を馴染ませている。ボード５の表面には絶縁シート６が敷きこまれ、該絶縁シート６の上部に複数の銅箔２が接合部材１を介して接合されて敷設されている。敷設された銅箔２の上部には更に絶縁シート６が敷きこまれており、これにより、銅箔２によるシールドをより完全なものとすると共に防錆，防湿の向上をはかっている。
【００３２】
　２枚の絶縁シート６によって銅箔２を上下方向に挟み、更に上部に位置する絶縁シート６の上部にボード５が敷きこまれ、釘等の結合部材７によって銅箔２の下側に敷きこまれたボード５に結合されている。前記の如くして銅箔２を床Ａに敷設して上部のボード５に仕上材８を敷きこむことで、電磁シールドルームの床Ａが構成される。
【００３３】
　上記実施例では、粘着性アスファルトルーフィング４からなる防水下地の上部に銅箔２を絶縁シート６，ボード５によって挟みこんで敷設することで、防水性と耐震性を付与した床Ａを構成することが可能である。
【００３４】
　次に、電磁シールドルームの壁を構成するパネルＢと床Ａに敷設された銅箔２を接合する構造及び土台の構造について図６により説明する。図に於いて、土台１０は、一方のフランジが他方のフランジよりも長く形成されたチャンネル状の本体１０ａと、両方のフランジが等しい長さを持って形成されたチャンネル状の嵩上げ部材１０ｂと、必要に応じて本体１０ａと嵩上げ部材１０ｂの間に配置されて嵩上げ部材１０ｂのレベルを調整するスペーサー１０ｃとによって構成されている。
【００３５】
　床Ａに敷設された銅箔２は、周縁が目的の床Ａの端部から所定寸法延出されている。そして銅箔２の延出部２ｂを土台１０の本体１０ａの下側に敷きこんで外側のフランジに巻き込み、本体１０ａに嵩上げ部材１０ｂを配置すると共にスペーサー１０ｃを適宜挿入しつつレベルを調整する。嵩上げ部材１０ｂのレベルを調整した後、アンカー１１を基礎３に打ち込むことによってスペーサー１０ｃ、本体１０ａ、銅箔２を固定している。
【００３６】
　上記の如く土台１０の下側に敷きこまれて固定された銅箔２の延出部２ｂは、本体１０ａの外側フランジに巻き込まれてパネルＢに接合され、リベット或いはタッピングビス等の固定部材１２によって固定されている。このように、銅箔２とパネルＢをリベット等の固定部材１２によって固定することで、両者の接合が確実となり、導通不良を起こす虞がない。
【００３７】
　尚、土台１０及び銅箔２を基礎３に固定するアンカー１１は、ボルト本体１１ａの外周にプラスチックスリーブ１１ｂを被覆して構成されており、アンカー１１が基礎３内に配置された鉄筋等の金属に触れた場合であっても、該金属との導通を防止することが可能である。
【００３８】
　次に、壁及び天井を構成するパネルＢについて図７、図８により説明する。パネルＢは、所定の長さ、幅、厚さを有し、一方の面が開放された箱状に形成されている。パネルＢの正面１３は壁或いは天井を構成する面としての機能を有し、幅方向両側の面は隣接するパネルＢとの接合面１４としての機能を有し、長手方向両側の面は直交する方向に構成される天井或いは壁との交差面１５としての機能を有する。
【００３９】
　パネルＢの接合面１４に沿って長手方向全長にわたるフランジ１４ａが形成されている。また、接合面14には所定のピッチで複数のリベット穴16及びクリップ穴17が形成されている。前記リベット穴１６は、電磁シールドルームを構成する際に連設されたパネルＢを固定する図示しないリベットを挿通するためのものである。またクリップ穴１７は、図示しない胴縁を係止してパネルＢの開放面に胴縁を取り付けるものであり、パネルＢの開放面に胴縁を取り付けることにより、正面１４の裏面と胴縁の間に空間を形成して該空間内に電気配線やその他の配線等を配置することが可能である。
【００４０】
　パネルＢの接合面１４には図８に示すように、金属メッシュ１８が設けられている。この金属メッシュ１８は、接合面１４の全面を被覆し得るように、接合面１４の長手方向全長にわたって、且つ幅方向（パネルＢの厚さ方向）を横断して端部が正面１３とフランジ１４ａに至って設けられている。即ち、金属メッシュ１８を接合面１４の長さと略等しい長さと幅寸法よりも充分に大きい幅を持って形成すると共に、パネルＢの正面13及びフランジ１４ａに両面粘着テープ１９を接着し、このテープ１９に金属メッシュ１８の端部を接着することで、金属メッシュ１８はパネルＢの接合面１４に取り付けられている。
【００４１】
　パネルＢの接合面１４に上記の如き金属メッシュ１８を設けることで、複数のパネルＢを連設して電磁シールドルームの壁，天井を構成したとき、パネルＢの間に生じる虞のある間隙を金属メッシュ１８によって充填し、電磁波の漏洩を防止することが可能である。
【００４２】
　次に、ジョイント補助部材２０の構成について図９により説明する。このジョイント補助部材２０は、壁と天井との接続部分に配置され壁を構成する複数のパネルＢの上端を拘束すると共に室内側に内装用の下地を形成し、また天井を構成する複数のパネルＢの端部を拘束すると共に室内側に内装用の下地を形成するものである。
【００４３】
　ジョイント補助部材２０は、パネルＢの端部と係合する係合部２０ａと、内装用の下地部２０ｂとを有する長尺状の部材として構成されている。係合部２０ａは断面がパネルＢの厚さと等しい寸法を持ったコ字状に形成されている。下地部２０ｂは内装材となる内装ボード２１（図１０参照）を固着する際に用いられる釘等の締結部材２２が打ち込み易い面積を持った面２０ｃを有する断面コ字状に形成されている。そして下地部２０ｂは係合部２０ａの一方のフランジの延長上に形成されている。
【００４４】
　従って、下地部２０ｂを室内側に配置して係合部２０ａを壁を構成したパネルＢの上端に係止したとき、ジョイント補助部材２０によって壁の上端を拘束して室内側に内装用の下地を形成することが可能である。また同様にしてジョイント補助部材２０を天井を構成したパネルＢの端部に係止したとき、該部材２０によって天井の周縁を拘束すると共に室内側に内装用の下地を形成することが可能である。
【００４５】
　次に、電磁シールドルームの壁と天井の取り合い部分の構造、及び天井と躯体の接続構造について図１０により説明する。電磁シールドルームのコーナー部では、壁を構成するパネルＢの上端にジョイント補助部材２０が係止されて連設されたパネルＢを拘束すると共に室内側に内装用の下地を構成し、天井を構成するパネルＢの端部にジョイント補助部材２０が係止されて連設されたパネルＢを拘束すると共に室内側に内装用の下地を構成している。
【００４６】
　天井部分の所定位置には絶縁材23を有する梁部材２４が配置されている。この梁部材２４は上方に２つの係止片２４ａが設けられており、該係止片２４ａによって絶縁材２３を係止し得るように構成されている。また下方に２つの載置片２４ｂが設けられており、該載置片２４ｂによって梁部材２４と隣接して天井を構成するパネルＢの端部を載置し得るように構成されている。載置片２４ｂの間には補強材２５が設けられており、梁部材２４の強度を向上させて該部材２４に作用する天井部分の重量を支持し得るように構成されている。
【００４７】
　梁部材２４は吊りボルト２６を介して図示しない建物の躯体に接続され、天井の重量の一部を躯体に負担させるように構成されている。吊りボルト２６には梁部材２４の係止片２４ａに係止された絶縁材２３を介して重量が伝達される。このとき、吊りボルト２６が絶縁材２３によって梁部材２４と絶縁されるため、電磁シールドルームと躯体とが導通することはない。
【図面の簡単な説明】
【００４８】
【図１】電磁シールドルームの構成を説明する模式断面図である。
【図２】接合部材の構成を説明する斜視図である。
【図３】銅箔を接合する手順を説明する図である。
【図４】床の構成を説明する模式断面図である。
【図５】床の他の例を説明する模式断面図である。
【図６】土台部分の構成及び床に敷設された銅箔と壁パネルの接合構造を説明する　　図である。
【図７】パネルの構成を説明する斜視図である。
【図８】接合面に金属メッシュを取り付けたパネルの要部を説明する斜視図である　　。
【図９】ジョイント補助部材の構成を説明する斜視図である。
【図１０】電磁シールドルームの壁及び天井の構成を示す要部断面図である。
【符号の説明】
【００４９】
　Ａ 　　　　　床
　Ｂ 　　　　　パネル
　１ 　　　　　接合部材
　１ａ 　　　　突起
　１ｂ 　　　　本体
　２ 　　　　　銅箔
　３ 　　　　　基礎
　４ 　　　　　粘着性アスファルトルーフィング
　５ 　　　　　ボード
　６ 　　　　　絶縁シート
　７ 　　　　　結合部材
　８ 　　　　　仕上材
　１０　　　　 土台
　１０ａ　　　 本体
　１０ｂ　　　 嵩上げ部材
　１０ｃ　　　 スペーサー
　１１　　　　 アンカー
　１１ｂ　　　 プラスチックスペーサー
　１２ 　　　　固定部材
　１３　　　　 正面
　１４　　　　 接合面
　１４ａ　　　 フランジ
　１５　　　　 交差面
　１６　　　　 リベット穴
　１７　　　　 クリップ穴
　１８　　　　 金属メッシュ
　１９　　　　 両面粘着テープ
　２０　　　　 ジョイント補助部材
　２０ａ　　　 係合部
　２０ｂ　　　 下地部
　２１　　　　 内装ボード
　２２　　　　 締結部材
　２３　　　　 絶縁材
　２４　　　　 梁部材
　２４ａ　　　 係止片
　２４ｂ　　　 載置片
　２５ 　　　　補強材
　２６　　　　 吊りボルト
【図１】
2004044380.tif 000003
【図２】
2004044380.tif 000004
【図３】
2004044380.tif 000005
【図４】
2004044380.tif 000006
【図５】
2004044380.tif 000007
【図６】
2004044380.tif 000008
【図７】
2004044380.tif 000009
【図８】
2004044380.tif 000010
【図９】
2004044380.tif 000011
【図１０】
2004044380.tif 000012